(57)【要約】【課題】画像に距離感を付与し、これによって臨場感にあふれた画像の鑑賞を可能にした、頭部顔面装着型画像表示装置を提供する。【解決手段】画像表示させるための頭部顔面装着型画像表示装置である。表示画像生成手段と、表示画像を伝達して表示エリア６０に表示する光学系伝達手段とを備える。表示エリア６０は実表示領域６１とこれを囲む額縁領域６２とを有する。実表示領域６１は、表示画像生成手段で生成された表示画像を表示する。額縁領域６２は、実表示領域６１と相似で大きな多角形の外形線からなり、かつ互いに異なる大きさの複数のフレーム６３ａ、６３ｂであるとともに、フレーム６３ａ、６３ｂの対応する頂点Ｐと実表示領域の対応する頂点Ｐとが直線状に配置され、これら直線の全てが実表示領域６１内の一点に集まるように形成される複数のフレーム６３ａ、６３ｂを、表示するよう構成されている。【選択図】図５
2010098567.tif 000002
【特許請求の範囲】
【請求項１】
頭部または顔面に装着して、画像表示させるための頭部顔面装着型画像表示装置であって、
表示画像を生成する表示画像生成手段と、
前記表示画像生成手段で生成された表示画像を伝達して表示エリアに表示する光学系伝達手段と、を備え、
前記表示エリアは、多角形状の実表示領域と、該実表示領域を囲む枠状の額縁領域とを有してなり、
前記実表示領域は、前記表示画像生成手段で生成された表示画像を表示するよう構成され、
前記額縁領域は、前記実表示領域がなす多角形と相似で該多角形より大きな多角形の外形線からなり、かつ互いに異なる大きさの複数のフレームであるとともに、該フレームの互いに対応する頂点と前記実表示領域の多角形における対応する頂点とが直線状に配置され、これら頂点からなる直線の全てが前記実表示領域内の一点に集まるように形成される複数のフレームを、表示するよう構成されていることを特徴とする頭部顔面装着型画像表示装置。
【請求項２】
前記額縁領域で表示されるフレームは、前記表示画像生成手段に設けられたフレーム生成部で生成される表示画像であることを特徴とする請求項１記載の頭部顔面装着型画像表示装置。
【請求項３】
前記額縁領域で表示されるフレームは、前記光学系伝達手段に設けられたフレーム生成部で生成される表示画像であることを特徴とする請求項１記載の頭部顔面装着型画像表示装置。
【請求項４】
前記表示画像生成手段は、前記実表示領域に対応する表示窓と、前記額縁領域に対応し、かつ前記表示窓を囲む額縁とを有してなる表示デバイスからなり、前記額縁領域で表示されるフレームは、前記額縁に設けられたフレーム生成部で生成される表示画像であることを特徴とする請求項１記載の頭部顔面装着型画像表示装置。
【請求項５】
前記フレームは、その内側の直近に位置するフレームとの間の、互いに対応する前記頂点間の距離、あるいは内側に他のフレームがない場合の前記実表示領域がなす多角形の外形線における頂点と、これに対応する頂点との間の距離が、前記実表示領域に対して外側になるに連れて、長くなるように表示されることを特徴とする請求項１〜４のいずれか一項に記載の頭部顔面装着型画像表示装置。
【請求項６】
前記実表示領域が矩形状であることを特徴とする請求項１〜５のいずれか一項に記載の頭部顔面装着型画像表示装置。
【請求項７】
前記直線の全てが前記実表示領域内に集まる一点は、前記実表示領域の、左右方向における中心線上に位置することを特徴とする請求項６記載の頭部顔面装着型画像表示装置。
【請求項８】
前記直線の全てが前記実表示領域内に集まる一点は、前記実表示領域の中心点であることを特徴とする請求項７記載の頭部顔面装着型画像表示装置。
【発明の詳細な説明】
【技術分野】
【０００１】
本発明は、頭部顔面装着型画像表示装置に関する。
【背景技術】
【０００２】
近年、液晶パネル（ＬＣＤ）等のディスプレイ上に表示された画像を、接眼レンズやハーフミラー等を有する光学系を介して拡大した虚像として視認する、眼鏡タイプの画像表示装置が提案されている。この表示装置は、頭部や顔面に装着した眼鏡型の画像表示部を視認することから、例えば頭部搭載型ディスプレイシステム（Head Mount Display ：ＨＭＤ）などと呼ばれている。
【０００３】
このようなＨＭＤとしては、液晶装置によって画像表示部を構成したものが多く知られている（例えば、特許文献１参照）。すなわち、表示する画像データに基づいて液晶装置で画像を生成し、これを光学系で伝達し拡大することにより、生成した画像を眼鏡型の表示システムで視認可能に表示するのが一般的である。
【０００４】
ところで、このようなＨＭＤの用途としては、今のところ映画やゲームなどが主である。特に映画については、大画面の画像表示機器がなくても、例えば４０インチ、５０インチといった大画面で見るのと同等な、臨場感にあふれた鑑賞が実現できるものとして期待されている。
【特許文献１】特開平７−７２４４６号公報
【発明の開示】
【発明が解決しようとする課題】
【０００５】
しかしながら、従来の一般的なＨＭＤは、映し出された画像（虚像）の周囲が黒表示、すなわち暗視界であり、画像そのものが平面的に見えることから、その位置やサイズが画像を作成した者の意図と異なって認識されてしまうことがある。その結果、大画面で見るのと同等な臨場感が得られなくなってしまう。
【０００６】
本発明は前記課題を解決するためになされたもので、その目的とするところは、画像に距離感を付与し、これによって臨場感にあふれた画像の鑑賞を可能にした、頭部顔面装着型画像表示装置を提供することにある。
【課題を解決するための手段】
【０００７】
本発明の頭部顔面装着型画像表示装置は、頭部または顔面に装着して、画像表示させるための頭部顔面装着型画像表示装置であって、
表示画像を生成する表示画像生成手段と、
前記表示画像生成手段で生成された表示画像を伝達して表示エリアに表示する光学系伝達手段と、を備え、
前記表示エリアは、多角形状の実表示領域と、該実表示領域を囲む枠状の額縁領域とを有してなり、
前記実表示領域は、前記表示画像生成手段で生成された表示画像を表示するよう構成され、
前記額縁領域は、前記実表示領域がなす多角形と相似で該多角形より大きな多角形の外形線からなり、かつ互いに異なる大きさの複数のフレームであるとともに、該フレームの互いに対応する頂点と前記実表示領域の多角形における対応する頂点とが直線状に配置され、これら頂点からなる直線の全てが前記実表示領域内の一点に集まるように形成される複数のフレームを、表示するよう構成されていることを特徴としている。
【０００８】
この頭部顔面装着型画像表示装置によれば、実表示領域で表示される画像に対し、その周囲の額縁領域で複数のフレームが表示されるので、これらフレームによって実表示領域の周囲に距離感が創出される。したがって、画像に距離感が付与され、これによって臨場感にあふれた画像の鑑賞が楽しめるようになる。
【０００９】
前記頭部顔面装着型画像表示装置において、前記額縁領域で表示されるフレームは、前記表示画像生成手段に設けられたフレーム生成部で生成される、表示画像とすることができる。
また、前記光学系伝達手段に設けられたフレーム生成部で生成される、表示画像とすることもできる。
さらに、前記表示画像生成手段が、前記実表示領域に対応する表示窓と、前記額縁領域に対応し、かつ前記表示窓を囲む額縁とを有してなる表示デバイスからなる場合に、前記額縁領域で表示されるフレームは、前記額縁に設けられたフレーム生成部で生成される表示画像とすることができる。
このように、フレームを生成するフレーム生成部を複数の箇所に形成可能となっているので、本発明の頭部顔面装着型画像表示装置は、設計自由度が高いものとなる。
【００１０】
また、前記頭部顔面装着型画像表示装置においては、前記フレームは、その内側の直近に位置するフレームとの間の、互いに対応する前記頂点間の距離、あるいは内側に他のフレームがない場合の前記実表示領域がなす多角形の外形線における頂点と、これに対応する頂点との間の距離が、前記実表示領域に対して外側になるに連れて、長くなるように表示されるのが好ましい。
このようにすれば、フレームによって創出される画像の距離感がより効果的になり、臨場感が一層高まる。
【００１１】
また、前記頭部顔面装着型画像表示装置においては、前記実表示領域が矩形状であるのが好ましい。
このようにすれば、特に映画を見る場合など、実際に映画館で見ているような感覚になる。
【００１２】
なお、この頭部顔面装着型画像表示装置においては、前記直線の全てが前記実表示領域内に集まる一点が、前記実表示領域の、左右方向における中心線上に位置するのが好ましく、さらに、前記実表示領域の中心点であるのが好ましい。
このようにすれば、視点を実表示領域の中心線上さらに中心点に合わせることで、より高い臨場感を得ることができる。
【発明を実施するための最良の形態】
【００１３】
以下、本発明の頭部顔面装着型画像表示装置を詳しく説明する。
図１は、本発明の頭部顔面装着型画像表示装置の一実施形態を示す図であり、図１中符号１は頭部顔面装着型画像表示装置（以下、ＨＭＤと記す）である。このＨＭＤは眼鏡型のもので、眼鏡のレンズ部分に相当するＨＭＤ本体２と、このＨＭＤ本体２の両端部から内側に延びる一対のテンプル３、３とを備えたものである。
【００１４】
ＨＭＤ本体２は、使用者の眼前にゴーグルのように装着されるもので、レンズ部分に相当する画像表示部４を有したものである。これら画像表示部４の内側には、光学系伝達手段５が配置されている。また、これら画像表示部４および光学系伝達手段５の上側及び下側には、遮光フード６、６が配設されている。これによって画像表示部４および光学系伝達手段５は、その上下が遮光フード６、６で覆われている。
【００１５】
画像表示部４には表示画像生成手段が収容されている。表示画像生成手段は、本実施形態では液晶表示装置によって形成されている。この液晶表示装置は、図２（ａ）、（ｂ）に示すように透過型のカラー液晶装置１０からなっている。カラー液晶装置１０は、図２（ｂ）に示すように、液晶パネル２０と、液晶パネル２０に照明光を照射するバックライトユニット（照明手段）３０と、制御手段４０とを備えて構成されている。
【００１６】
液晶パネル２０は、素子基板１１と、素子基板１１と対向配置された対向基板１２と、素子基板１１及び対向基板１２の間に配置された液晶層１３とを備えて構成されている。そして、この液晶パネル２０は、素子基板１１と対向基板１２とをシール材１４で貼り合わせており、このシール材１４によって液晶層１３が素子基板１１と対向基板１２との間で封止されている。ここで、液晶パネル２においてシール材１４で囲まれた領域が、図２（ａ）に示す画像表示領域１５となっている。画像表示領域１５には、マトリクス状に配置された多数の画素（図示せず）が配置されており、これら多数の画素によって所望の画像が表示可能になっている。
【００１７】
図２（ｂ）に示すように素子基板１１は、平面視でほぼ矩形状のガラス基板からなり、このガラス基板上に種々の金属膜や絶縁膜、半導体層、不純物層などが形成されたものである。この素子基板１１には、フォトリソグラフィ技術やインクジェット法などの所定の手法を用いてガラス基板上に形成された画素電極、薄膜トランジスタ（ＴＦＴ：Thin Film Transistor）及び蓄積コンデンサなどを含む画素部分と、画素に電気信号などを供給する配線部分とが設けられている。さらに、素子基板１１の内面には、液晶層１３を構成する液晶分子の配向を制御する配向膜が設けられており、素子基板１１の外面には、偏光板１７が配置されている。
【００１８】
対向基板１２は、素子基板１１と同様に、平面視でほぼ矩形状のガラス基板からなり、このガラス基板上にブラックマトリックスやカラーフィルタ層、保護膜及び電極などが形成されたものである。この対向基板１２の内面には配向膜が形成されており、その外面には偏光板１８が配置されている。
【００１９】
バックライトユニット３０は、素子基板１１の外面側に配置されている。このバックライトユニット３０は、図２（ｂ）、図３に示すように、導光板２１と、導光板２１に向けて照明光を射出する光源２２と、照明光を導光板２１に向けて反射する反射板２４とを備えて構成されている。光源２２としては、ＬＥＤ（発光ダイオード）が好適に用いられ、図３に示すようにＬＥＤ（光源２２）が複数配置されることで、前記の画像表示領域１５での表示が可能になっている。
【００２０】
図２（ｂ）に示すように制御手段４０は、液晶パネル２０における画像表示領域１５への画像信号、走査信号の供給、および光源２２の駆動の制御を行うよう構成されている。また、この制御手段４０にはメモリ装置５０が接続され、さらに外部装置（図示せず）に接続するための外部接続装置５５が接続されている。
【００２１】
メモリ装置５０は、予め記憶したデータを制御手段４０に送信し、制御手段４０では、送信されたデータに基づいて前記画像表示領域１５への画像信号、走査信号の供給、および光源２２の駆動の制御を行うようになっている。
外部接続装置５５は、例えばＤＶＤ装置などに接続し、このＤＶＤ装置からのデータを入力して制御手段４０に送信するようになっている。これによって制御手段４０は、ＤＶＤ装置で映す画像を、液晶パネル２０の画像表示領域１５に表示できるようになっている。
【００２２】
このような構成のもとに画像表示部４、４は、メモリ装置５０に記憶されたデータや外部接続装置５５から入力されたデータに基づき、その内部に収容された表示画像生成手段によって表示画像を生成し前記画像表示領域１５に表示するようになっている。
【００２３】
なお、メモリ装置５０には音声データ記憶部（図示せず）が設けられ、外部接続装置５５には音声データ入力部（図示せず）が設けられている。これら音声データ記憶部や音声データ入力部には、音声データ出力部（図示せず）が接続されるようになっている。音声データ出力部は、ヘッドホーンやイヤホーンなどの外部装置や、前記テンプル３に組み込まれたスピーカ（図示せず）からなっており、これによってＨＭＤ１を装着した者は、画像表示領域１５に表示された画像を見ると同時に、音声や音楽を聴くことができるようになっている。
【００２４】
光学系伝達手段５は、表示画像生成手段によって生成され、前記画像表示領域１５に表示された画像（表示画像）を伝達して表示エリアに表示するものである。すなわち、光学系伝達手段５は、模式的に表した図４に示すように、カラー液晶装置１０の表示面側に配置された四角筒状の保持体５２の内部に、各種のレンズを備えて構成されたもので、画像表示領域１５に表示された画像（表示画像）を結像面Ａに伝達し、ここで結像させるようになっている。つまり、結像面Ａは本発明における表示エリア６０となっており、ＨＭＤ１を装着した者はこの表示エリア６０を見ることで、前記画像表示領域１５に表示された画像（表示画像）を認識できるようになっている。
【００２５】
表示エリア６０は、本発明では図５（ａ）、（ｂ）に示すように横長の矩形状の実表示領域６１と、該実表示領域６１を囲む枠状の額縁領域６２とからなっている。実表示領域６１は、前記カラー液晶装置１０によって目的とする画像を表示する領域である。これに対して額縁領域６２は、図５（ａ）に示すように基本的に黒表示、つまり暗視界の領域であり、この暗視界中に、図５（ｂ）に示すように複数のフレーム、本実施形態では２本のフレーム６３ａ、６４ｂを表示するようになっている。
【００２６】
なお、額縁領域６２にフレームが表示されない図５（ａ）が、従来のＨＭＤにおいて表示エリアで視認される状態を示している。図５（ａ）に示すように額縁領域６２が単に暗視界であると、実表示領域６１に表示される画像が平面的に見える。その結果、距離間に乏しく、大画面で見るのと同等な臨場感が得られなくなる。
【００２７】
これに対して本発明では、図５（ｂ）に示すように２本（複数）のフレーム６３ａ、６３ｂを表示するので、これらフレーム６３ａ、６３ｂによって実表示領域６１の周囲に距離感が創出される。
すなわち、フレーム６３ａ、６３ｂは、実表示領域６１のなす形状である矩形と相似で、この矩形より大きな矩形の外形線からなり、かつ、互いに異なる大きさに形成されている。また、これらフレーム６３ａ、６３ｂは、互いに対応する頂点、例えばフレーム６３ａの頂点Ｐ１とフレーム６３ｂの頂点Ｐ２と、さらに実表示領域６１の外形線６１ａにおける頂点Ｐ３とが、一直線状に並ぶように配置されている。そして、これら頂点Ｐからなる直線、つまりこれら互いに対応する頂点Ｐを通る直線の全てが、実表示領域６１内の一点に集まるように形成されている。
【００２８】
図５（ｂ）に示した例では、互いに対応する各頂点Ｐを通る直線Ｌ１、Ｌ２、Ｌ３、Ｌ４は、実表示領域６１がなす矩形の対角線となる直線になっている。したがって、直線Ｌ１、Ｌ２、Ｌ３、Ｌ４の全てが実表示領域６１内にて集まる一点は、実表示領域６１の中心点Ｏになっている。ここで、本発明においては、額縁領域６２においてフレーム６３ａ、６３ｂのみを表示するだけでなく、これらフレーム６３ａ、６３ｂに加えて、直線Ｌ１、Ｌ２、Ｌ３、Ｌ４の一部、すなわち、最も外側に位置するフレーム６３ｂの頂点Ｐと、実表示領域６１の外形線６１ａにおける頂点Ｐとを結ぶ線分Ｌ１ａ、Ｌ２ａ、Ｌ３ａ、Ｌ４ａも、合わせて表示するようにしてもよい。このように線分Ｌ１ａ、Ｌ２ａ、Ｌ３ａ、Ｌ４ａも表示することにより、実表示領域６１の周囲により効果的に距離感を創出することができる。
【００２９】
このようなフレーム６３ａ、６３ｂ、さらには線分Ｌ１ａ、Ｌ２ａ、Ｌ３ａ、Ｌ４ａは、フレーム生成部によって生成される表示画像である。フレーム生成部は、本発明では複数の箇所に形成可能となっており、したがって本発明のＨＭＤ（頭部顔面装着型画像表示装置）１は設計自由度が高いものとなっている。
【００３０】
フレーム生成部は、第１の例では前記表示画像生成手段に設けられる。すなわち、表示画像生成手段を構成する液晶表示装置、つまり図２（ａ）に示したカラー液晶装置１０の制御手段４０に設けられたフレーム生成部により、前記のフレーム６３ａ、６３ｂ等を生成することができる。図６（ａ）は、カラー液晶装置１０により、表示画像としてのフレーム６３ａ、６３ｂを表示している状態を示している。
【００３１】
図６（ａ）に示すようにこの第１の例では、カラー液晶装置１０の画像表示領域１５全体を図５（ａ）（ｂ）に示した表示エリア６０に対応させ、さらに制御手段４０により、その中央部を実表示領域６１に対応させ、外周部を額縁領域６２に対応させている。したがって、制御手段４０によって構成されるフレーム生成部により、映画等の画像表示とは別に、その外側の額縁領域６２にフレーム６３ａ、６３ｂ等を表示することができる。なお、実際のＨＭＤ１による表示では、図６（ａ）に示したカラー液晶装置１０の額縁部分１０ａはマスキングされるので、図６（ｂ）に示すように前記額縁部分１０ａは暗視界となる。
【００３２】
また、フレーム生成部は、第２の例では前記表示画像生成手段の額縁部分に設けられる。すなわち、表示画像生成手段を構成するカラー液晶装置１０における画像表示領域１５の外側、つまりその額縁部分１０ａを、図７に示す構成の額縁３５で形成し、この額縁３５をフレーム生成部とすることができる。額縁３５は、図５（ａ）（ｂ）に示した表示エリア６０における額縁領域６２に対応するよう構成されたもので、全体が遮光性に形成され、前記フレーム６３ａ、６３ｂに対応する位置のみに、スリット等の透光部３７が形成されたものである。例えば、額縁３５はガラスや樹脂等の透明な板材によって形成され、透光部３７を除いた表面全体にブラックマスクが設けられたものとされる。
【００３３】
このような額縁３５を備えてなるカラー液晶装置１０においては、図３に示したようにその裏面側に導光板２１と光源２２と反射板２４とを備えたバックライトユニット３０が設けられ、光源２２からの光が前記透光部３７を透過することにより、表示画像としてのフレームを生成するようになる。そして、生成したフレームを光学系伝達手段５で結像面Ａに伝達し、ここで結像させることにより、表示エリア６０における額縁領域６２にフレーム６３ａ、６３ｂを表示することができる。なお、このフレーム生成部についても、フレーム６３ａ、６３ｂとともに、前記の線分Ｌ１ａ、Ｌ２ａ、Ｌ３ａ、Ｌ４ａも表示するようにしてもよい。
【００３４】
また、フレーム生成部は、第３の例では前記光学系伝達手段５に設けられる。すなわち、図８（ａ）に示すように前記保持体５２の内周面の、結像面Ａを形成する位置において、この結像面Ａで形成される表示領域６０の額縁領域６２に対応する箇所に、矩形枠状の額縁部材３８を形成する。この額縁部材３８には、図８（ｂ）に示すように前記フレーム６３ａ、６３ｂを生成するための透光部３９が形成されている。額縁部材３８は、前記額縁３５と同様に、ガラス等の透明な板材の透光部３９を除く部分に、ブラックマトリクスを設けることで形成することができる。
【００３５】
また、このようなフレーム生成部を光学系伝達手段５に設けた場合には、このフレーム生成部、すなわち額縁部材３８に光が入射するよう、カラー液晶装置１０で表示する画像を構成しておく。あるいは、この額縁部材３８にＬＥＤ等の光源（図示せず）を直接設けておき、カラー液晶装置１０で表示する画像とは別に、フレーム６３ａ、６３ｂを表示するようにしてもよい。
【００３６】
なお、このフレーム生成部についても、フレーム６３ａ、６３ｂとともに、前記の線分Ｌ１ａ、Ｌ２ａ、Ｌ３ａ、Ｌ４ａも表示するようにしてもよい。
このように、第１の例、第２の例、第３の例に示す構成のフレーム生成部を備えることにより、ＨＭＤ本体２は、図５（ｂ）に示したように実表示領域６１の外側の額縁領域６２に、フレーム６３ａ、６３ｂを表示することができるようになっている。
【００３７】
本実施形態のＨＭＤ１を用いて例えば映画を鑑賞するには、まず、テンプル３、３を耳にかけてＨＭＤ本体２を眼鏡のように顔面に装着する。そして、予めメモリ措置５０に記録した映画データを呼び出し、あるいは外部接続装置５５を介して例えばＤＶＤ装置の映画データを呼び出し、出力させることにより、ＨＭＤ本体２のカラー液晶装置１（表示画像生成手段）で表示画像を生成させる。そして、これを光学系伝達手段５で伝達して結像面Ａの表示エリア６０に表示させることにより、この表示画像を視認する。
【００３８】
その際、実表示領域６１で表示される映画の画像に対し、その周囲の額縁領域６２で複数のフレーム６３ａ、６３ｂが表示されるので、これらフレーム６３ａ、６３ｂによって実表示領域６１の周囲に距離感を創出することができる。
したがって、本発明のＨＭＤ１によれば、画像に距離感を付与することができ、これにより例えば４０インチ、５０インチといった大画面で見るのと同等な、臨場感にあふれた映像（画像）を鑑賞することができる。
また、フレームを生成するフレーム生成部が、例えば前述した第１の例、第２の例、第３の例に示したように、複数の箇所に形成可能となっているので、設計自由度が高く、したがって要求されるタイプに容易に適用することができる。
【００３９】
なお、本発明は前記実施形態に限定されることなく、本発明の要旨を逸脱しない範囲で種々の変更が可能である。例えば、前記実施形態では表示画像生成手段を液晶表示装置（カラー液晶装置１０）で構成したが、本発明はこれに限定されることなく、例えば有機エレクトロルミネッセンス装置（有機ＥＬ装置）で表示画像生成手段を構成することもできる。その際、例えばフレーム生成部を前記第２の例に示したように、表示画像生成手段の額縁部分に設けた場合には、図９に示すように、額縁３５にＬＥＤ等からなる光源２２を設け、さらに図示しない導光板によって光を案内し、図７に示した透光部３７から光を射出させることによい、フレーム６３ａ、６３ｂを表示させることができる。
【００４０】
また、前記実施形態では、フレームを２本形成した例を示したが、複数であれば３本以上であってもよいのはもちろんである。さらに、前記実施形態では、前記フレームが、その内側の直近に位置するフレームとの間の距離、あるいは内側に他のフレームがない場合の前記実表示領域の外形線との間の距離が、図１０に示すように、実表示領域６１に対して外側になるに連れて、長くなるように表示されていてもよい。このようにフレームを表示すれば、フレームによって創出される画像の距離感がより効果的になり、臨場感が一層高まる。
【００４１】
また、前記実施形態では、図５（ｂ）に示したように各フレーム６３ａ、６３ｂの互いに対応する各頂点Ｐを通る直線Ｌ１、Ｌ２、Ｌ３、Ｌ４が、実表示領域６１の中心点Ｏに集まるようにフレーム６３ａ、６３ｂを形成したが、例えば図１０に示したように、フレーム６３ｃ、６３ｄ、６３ｅの互いに対応する頂点Ｐと実表示領域の外形線６１ａの頂点Ｐとがなす直線Ｌ１、Ｌ２、Ｌ３、Ｌ４が、実表示領域６１の中心点より上方にずれていてもよく、あるいは、下方にずれていてもよい。
【００４２】
また、本発明の頭部顔面装着型画像表示装置（ＨＭＤ）は、映画の鑑賞以外にも、例えばゲームなど、各種の画像や映像を見るのに用いることができる。
【図面の簡単な説明】
【００４３】
【図１】本発明の頭部顔面装着型画像表示装置の一実施形態を示す斜視図である。
【図２】（ａ）は液晶表示装置の正面図、（ｂ）は液晶表示装置の側断面図である。
【図３】バックライトユニットを示す図である。
【図４】光学系伝達手段を模式的に表す側断面図である。
【図５】（ａ）（ｂ）は表示エリアを説明するための図である。
【図６】（ａ）（ｂ）は液晶表示装置でフレームを表示する場合の説明図である。
【図７】液晶装置の額縁をフレーム生成部とした場合の説明図である。
【図８】（ａ）（ｂ）は光学系伝達手段にフレーム生成部を設けた場合の説明図である。
【図９】フレーム生成部を額縁部分に設けた場合の説明図である。
【図１０】フレームの表示例を示す図である。
【符号の説明】
【００４４】
１…頭部顔面装着型画像表示装置（ＨＭＤ）、２…ＨＭＤ本体、４…画像表示部、５…光学系伝達手段、１０…カラー液晶表示装置（表示画像生成手段）、２２…光源、３５…額縁、３７…透光部、３８…額縁領域、３９…透光部、６０…表示エリア、６１…実表示エリア、６２…額縁領域、６３ａ、６３ｂ、６３ｃ、６３ｄ、６３ｅ…フレーム、Ａ…結像面、Ｐ、Ｐ１、Ｐ２、Ｐ３…頂点、Ｌ１、Ｌ２、Ｌ３、Ｌ４…直線
【図１】
2010098567.tif 000003
【図２】
2010098567.tif 000004
【図３】
2010098567.tif 000005
【図４】
2010098567.tif 000006
【図５】
2010098567.tif 000007
【図６】
2010098567.tif 000008
【図７】
2010098567.tif 000009
【図８】
2010098567.tif 000010
【図９】
2010098567.tif 000011
【図１０】
2010098567.tif 000012